(57)【要約】【課題】動弁装置のロッカアームにより駆動される燃料ポンプを備える内燃機関の軽量化を図る。【解決手段】内燃機関２は、動弁装置70ｂの排気ロッカアーム76ａから構成されるポンプ用ロッカアームにより駆動される燃料ポンプ90を備える。ポンプ用ロッカアームである排気ロッカアーム76ａ以外の吸気ロッカアーム74または排気ロッカアーム75からなるすべての残りのロッカアームのうち、排気ロッカアーム76ｂを除くすべてのロッカアーム74，75のロッカアーム本体80，81が、排気ロッカアーム76ａのロッカアーム本体82を形成する鉄基材料よりも比重が小さいアルミニウム基材料から形成されることにより、すべての前記残りのロッカアームの合計の重量は、すべての前記残りのロッカアームのロッカアーム本体が鉄基材料から形成される場合に比べて小さくなる。【選択図】図４
2006144717.tif 000002
【特許請求の範囲】
【請求項１】
吸気弁を開閉する吸気ロッカアームおよび排気弁を開閉する排気ロッカアームを備える動弁装置と、前記吸気ロッカアームおよび前記排気ロッカアームの１つから構成されるポンプ用ロッカアームにより駆動される燃料ポンプとを備える内燃機関において、
前記ポンプ用ロッカアーム以外の前記吸気ロッカアームまたは前記排気ロッカアームからなるすべての残りのロッカアームのうち、すべてまたは一部の前記残りのロッカアームのロッカアーム本体が、前記ポンプ用ロッカアームのロッカアーム本体を形成する第１材料よりも比重が小さい第２材料から形成されることにより、すべての前記前記残りのロッカアームの合計の重量が、すべての前記残りのロッカアームのロッカアーム本体が前記第１材料から形成される場合に比べて小さくなることを特徴とする内燃機関。
【請求項２】
前記ポンプ用ロッカアームが前記排気ロッカアームであるとき、すべての前記排気ロッカアームが前記ポンプ用ロッカアームと同一に形成される一方、すべての前記吸気ロッカアームのロッカアーム本体が前記前記第２材料から形成され、または、前記ポンプ用ロッカアームが前記吸気ロッカアームであるとき、すべての前記吸気ロッカアームが前記ポンプ用ロッカアームと同一に形成される一方、すべての前記排気ロッカアームのロッカアーム本体が前記第２材料から形成されることを特徴とする請求項１記載の内燃機関。
【発明の詳細な説明】
【技術分野】
【０００１】
本発明は、動弁装置のロッカアームを利用して燃料ポンプを駆動する内燃機関に関する。
【背景技術】
【０００２】
この種の内燃機関として、例えば特許文献１に開示された内燃機関は、吸気弁用および排気弁用のバルブロッカアームを備える動弁装置と、排気弁用バルブロッカアームの１つに係合するプッシャーを介して駆動されるプランジャを有する燃料ポンプとを備える。
また、エンジンの動弁系のロッカアームをアルミニウムにより形成することも知られている。（例えば、特許文献２参照）
【特許文献１】特開平２００２−３３２９２８号公報
【特許文献２】特開平３−１３８４０６号公報
【発明の開示】
【発明が解決しようとする課題】
【０００３】
特許文献１に開示された従来技術では、動弁装置のロッカアームは、燃料ポンプを駆動するための単なる一手段として位置づけられているだけであり、燃料ポンプを駆動するロッカアームと、燃料ポンプを駆動しない他のロッカアームとの差別化は考慮されていない。しかしながら、燃料ポンプを駆動するロッカアームは、前記他のロッカアームに比べて、燃料ポンプを駆動する分、より大きな強度および剛性が必要になる一方で、前記他のロッカアームついては、吸気弁または排気弁を駆動するための強度および剛性が確保されていればよく、動弁装置に備えられるロッカアームの全体の軽量化、ひいては内燃機関の軽量化の観点からは改善の余地がある。
また、特許文献２に開示された従来技術は、動弁装置のロッカアームにより燃料ポンプを駆動する内燃機関に関するものではなく、複数のロッカアーム間での差別化はなされていない。
【０００４】
本発明は、このような事情に鑑みてなされたものであり、請求項１，２記載の発明は、動弁装置のロッカアームにより駆動される燃料ポンプを備える内燃機関の軽量化を図ることを目的とする。そして、請求項２記載の発明は、さらに、内燃機関のコストを削減することを目的とする。
【課題を解決するための手段】
【０００５】
請求項１記載の発明は、  吸気弁を開閉する吸気ロッカアームおよび排気弁を開閉する排気ロッカアームを備える動弁装置と、前記吸気ロッカアームおよび前記排気ロッカアームの１つから構成されるポンプ用ロッカアームにより駆動される燃料ポンプとを備える内燃機関において、前記ポンプ用ロッカアーム以外の前記吸気ロッカアームまたは前記排気ロッカアームからなるすべての残りのロッカアームのうち、すべてまたは一部の前記残りのロッカアームのロッカアーム本体が、前記ポンプ用ロッカアームのロッカアーム本体を形成する第１材料よりも比重が小さい第２材料から形成されることにより、すべての前記前記残りのロッカアームの合計の重量が、すべての前記残りのロッカアームのロッカアーム本体が前記第１材料から形成される場合に比べて小さくなる内燃機関。
【０００６】
これによれば、ポンプ用ロッカアーム以外のすべてまたは一部の残りのロッカアームのロッカアーム本体は、吸気弁または排気弁を駆動するための所要の強度および剛性が確保されるように第２材料から形成されたうえで、すべての残りのロッカアームの合計の重量が、すべての残りのロッカアームのロッカアーム本体が第１材料から形成される場合の合計の重量に比べて小さくなるので、動弁装置のロッカアームが、全体として軽量化される。そして、すべての残りのロッカアームのロッカアーム本体が第２材料で形成されることにより、ロッカアーム全体の一層の軽量化が達成される。また、ポンプ用ロッカアームは、吸気弁または排気弁に加えて燃料ポンプを駆動するための所要の強度および剛性が得られるように第１材料から形成される。
【０００７】
請求項２記載の発明は、請求項１記載の内燃機関において、前記ポンプ用ロッカアームが前記排気ロッカアームであるとき、すべての前記排気ロッカアームが前記ポンプ用ロッカアームと同一に形成される一方、すべての前記吸気ロッカアームのロッカアーム本体が前記前記第２材料から形成され、または、前記ポンプ用ロッカアームが前記吸気ロッカアームであるとき、すべての前記吸気ロッカアームが前記ポンプ用ロッカアームと同一に形成される一方、すべての前記排気ロッカアームのロッカアーム本体が前記第２材料から形成されるものである。
【０００８】
これによれば、動弁装置のロッカアームが、ロッカアーム本体が第１材料から形成されるロッカアームおよびロッカアーム本体が第２材料から形成されるロッカアームの２種類となるので、特に複数の排気ロッカアームまたは複数の排気ロッカアームを備える動弁装置において、同一のロッカアームが多く使用され得る。
【発明の効果】
【０００９】
請求項１記載の発明によれば、次の効果が奏される。すなわち、燃料ポンプを駆動するロッカアームを備える動弁装置のロッカアームが、全体として軽量化されるので、動弁装置のロッカアームにより駆動される燃料ポンプを備える内燃機関の軽量化が可能になる。
【００１０】
請求項２記載の発明によれば、引用された請求項記載の発明の効果に加えて、次の効果が奏される。すなわち、動弁装置のロッカアームのうち、同一のロッカアームの数が増加するので、コストが削減される。
【発明を実施するための最良の形態】
【００１１】
以下、本発明の実施形態を図１〜図６を参照して説明する。
図１〜図５は、本発明の第１実施形態を説明するための図である。
図１，図２を参照すると、本発明が適用された内燃機関２は舶用推進装置としての船外機１に備えられる。内燃機関２は、上下方向に延びる回転中心線を有するクランク軸10（図２参照）を回転可能に支持する機関本体３を備えるバーチカル機関である。機関本体３はマウントケース４に支持され、マウントケース４の下端部に結合されるエクステンションケース５の上端部にはアンダカバー６が結合され、アンダカバー６の上端部にはエンジンカバー７が結合されて、アンダカバー６およびエンジンカバー７により機関本体３が収納されるエンジンルーム８が形成される。エクステンションケース５の下端部には、前後進切換装置12およびプロペラ軸13を収納するギヤケース９が結合される。
【００１２】
クランク軸10の下端部10ｂに一体回転可能に結合される駆動軸11は、エクステンションケース５内を下方へ延びてギヤケース９内に達し、駆動軸11の下端部は、プロペラ14が取り付けられたプロペラ軸13に前後進切換装置12を介して連結される。そして、内燃機関２の動力は、クランク軸10、駆動軸11、前後進切換装置12およびプロペラ軸13を経てプロペラ14に伝達され、プロペラ14が回転駆動される。
【００１３】
船外機１に備えられて該船外機１を船体Ｓに取り付ける取付装置は、スイベル軸15と、該スイベル軸15を回動可能に支持するスイベルケース16と、スイベルケース16を回動可能に支持するチルト軸17を保持すると共に船体Ｓの後端に固定されるブラケット18とを備える。そして、マウントフレーム19と一体に形成されるスイベル軸15は、その上端部でマウントケース４にマウントラバー20を介して固定され、その下端部でエクステンションケース５にマウントラバー21を介して固定される。この取付装置により、船外機１は、船体Ｓに対してチルト軸17を中心に上下方向に揺動可能であると共に、操舵のためにスイベル軸15を中心に左右方向に揺動可能である。また、前後進切換装置12による船体Ｓの前進・後進の切換は、スイベル軸15の内部を挿通するシフトロッド22を回動させることにより行われる。
【００１４】
図２，図３を参照すると、内燃機関２は、水冷式でＳＯＨＣ型のＶ型６気筒４ストローク内燃機関であり、機関本体３は、クランクケース30と、左右１対のバンクＢ１，Ｂ２を有するシリンダブロック31と、各バンクＢ１，Ｂ２のシリンダヘッド33，34およびヘッドカバー35，36とが、前方から後方に向かって順次組み付けられて構成される。第１バンクとしての右バンクＢ１および第２バンクとしての左バンクＢ２は、平面視で後方に向かって開いたＶ字を形成し、それぞれ、上下方向にクランク軸10に沿って配列された同数のシリンダ、ここでは３つのシリンダ37，38を有する。シリンダブロック31およびクランクケース30は、クランク軸10が収納されるクランク室23を形成する。
【００１５】
第１シリンダヘッドとしての右シリンダヘッド33および第２シリンダヘッドとしての左シリンダヘッド34には、シリンダ37，38毎に、ピストン40が嵌合するシリンダ37，38のシリンダ孔に対向する燃焼室41と、燃焼室41に開口する１対の吸気口および１対の排気口をそれぞれ有する吸気ポート42および排気ポート43とが形成され、さらに、前記１対の吸気口および前記１対の排気口をそれぞれ開閉する１対の吸気弁44および１対の排気弁45と、燃焼室41に臨む点火栓46とが設けられる。点火栓46は、点火コイルと共にシリンダヘッド34に設けられる円筒状の収納筒39（図４参照）内に収納される。そして、燃焼室41で発生する燃焼圧により駆動されて往復動する各ピストン40は、コンロッド47を介してクランク軸10を回転駆動する。
【００１６】
クランク軸10において機関本体３から上方向に突出する上端部10ａには、第１駆動プーリ51と、第１駆動プーリ51の上方に位置する第２駆動プーリ52とが、クランク軸10と一体回転可能に結合される。第１駆動プーリ51と、クランク軸10の回転中心線に平行な回転中心線を有する１対のカム軸71においてシリンダヘッド33，34から上方向に突出する上端部に両カム軸71とそれぞれ一体回転可能に結合される第１，第２カムプーリ61，62と、２つのガイドプーリ53，54とに渡って、テンショナ55により適度な張力が付与される歯付ベルトからなるタイミングベルト56が巻き掛けられ、両カム軸71がクランク軸10の１／２の回転速度で回転駆動される。そして、各プーリ51，61，62およびタイミングベルト56により、クランク軸10のトルクを、互いに平行に配置された１対のカム軸71に伝達する巻掛け伝動機構50が構成される。
【００１７】
また、第２駆動プーリ52と交流発電機48の回転軸の上端部に結合された第２被動プーリ57とに渡って駆動ベルト58が巻き掛けられ、交流発電機48がクランク軸10により回転駆動される。
【００１８】
図２，図４，図５を参照すると、内燃機関２に備えられる動弁装置70は、各バンクＢ１，Ｂ２のシリンダヘッド33，34とヘッドカバー35，36とで形成される１対の動弁室60にそれぞれ収納されて、弁バネ49により閉弁方向に付勢されている吸気弁44および排気弁45を開閉する第１動弁装置としての右動弁装置70ａおよび第２動弁装置としての左動弁装置70ｂから構成される。
【００１９】
各動弁装置70ａ，70ｂは、シリンダヘッド33，34にそれぞれ回転可能に支持される１対のカム軸71と、それぞれカム軸71に平行に配置されてシリンダヘッド33，34に固定される吸気ロッカ軸72および排気ロッカ軸73とを備え、さらにシリンダ37，38毎に、各カム軸71に設けられる１つの吸気カム71ｉおよび１対の排気カム71ｅと、吸気ロッカ軸72および排気ロッカ軸73に揺動可能に支持されて対応するカム71ｉ，71ｅにより駆動されて揺動する１つの吸気ロッカアーム74および１対の排気ロッカアーム75，76とを備える。
【００２０】
各動弁装置70ａ，70ｂにおいて、各吸気ロッカアーム74は、吸気ロッカ軸72に枢支される支点部80ａを有するロッカアーム本体80と、ロッカアーム本体80の一端部に設けられて吸気カム71ｉに当接するカム当接部としての回転可能なローラ85と、ロッカアーム本体80の他端部に設けられて１対の吸気弁44にそれぞれ当接可能な１対の弁当接部としての調整ネジ86とを有し、クランク軸10と同期して回転する吸気カム71ｉの回転位置に応じて吸気弁44を駆動して開閉する。
【００２１】
同様に、各排気ロッカアーム75は、排気ロッカ軸73に枢支される支点部81ａ，82ａを有するロッカアーム本体81，82と、ロッカアーム本体81，82の一端部に設けられて排気カム71ｅに当接するカム当接部としての回転可能なローラ87と、ロッカアーム本体81，82の他端部に設けられて吸気弁44に当接可能な弁当接部としての調整ネジ88とを有し、クランク軸10と同期して回転する排気カム71ｅの回転位置に応じて揺動し、排気弁45を駆動して開閉する。
【００２２】
図２，図３を参照すると、各吸気ポート42の入口には、両バンクＢ１，Ｂ２の間に配置されると共に混合気形成手段としての燃料噴射弁64がシリンダ37，38毎に装着される吸気マニホルドが接続される。そして、エンジンカバー７の空気取入口７ａから流入した空気の一部が、吸気サイレンサ65と、スロットル弁66ａを有するスロットル弁装置66と、吸気マニホルド67とを備える吸気装置および吸気ポート42を経て、燃料噴射弁64から吸気ポート42に向けて噴射された燃料と共に各燃焼室41に供給される。
【００２３】
一方、各排気ポート43の出口には、排気マニホルド68が接続され、各燃焼室41からの燃焼ガスが、排気ポート43を流通した後、排気マニホルド68と排気管（図示されず）とを備える排気装置、さらにエクステンションケース５およびギヤケース９（いずれも図１参照）を経て水中に排出される。
【００２４】
図４，図５を参照すると、動弁装置70のすべてのロッカアーム74〜76において、左動弁装置70ｂのロッカアーム75，76であって左バンクＢ２のシリンダ38のうちの１つの特定シリンダ38ａのロッカアームである１対の排気ロッカアーム76のうちの１つの排気ロッカアーム76ａは、後述する燃料ポンプ90（図５参照）を駆動するポンプ用ロッカアームを構成する。ここで、特定シリンダ38ａの１対の排気ロッカアーム76同士は同一であり、そのロッカアーム本体82は、第１材料、例えば鉄基材料から形成される。そして、該排気ロッカアーム76ａ（ポンプ用ロッカアーム）以外の吸気ロッカアーム74または排気ロッカアーム75，76，76ｂからなるすべての残りのロッカアームのうち、排気ロッカアーム76ｂを除くすべてのロッカアーム74，75（すなわち前記残りのロッカアームの一部のロッカアーム）のロッカアーム本体80，81は、第１材料よりも比重が小さい第２材料、例えば軽金属基材料から形成される。また、吸気ロッカアーム74同士は同一であり、排気ロッカアーム75同士は同一である。それゆえ、右動弁装置70ａにおいては、すべての吸気ロッカアーム74のロッカアーム本体80およびすべての排気ロッカアーム75のロッカアーム本体81が第２材料から形成され、さらに吸気ロッカアーム74同士は同一であると共に左動弁装置70ｂの吸気ロッカアーム74と同一であり、排気ロッカアーム75同士は同一であると共に左動弁装置70ｂの排気ロッカアーム75と同一である。
【００２５】
そして、いずれの材料で形成される場合にも、動弁装置70のすべてのロッカアーム74〜76は、吸気弁44または排気弁45を駆動するための所要の強度および剛性を少なくとも有し、加えてポンプ用ロッカアームを構成する排気ロッカアーム76ａは、さらに燃料ポンプ90を駆動するための所要の強度および剛性を有する。
【００２６】
ここで、鉄基材料とは、鉄を主成分とする材料であり、軽金属基材料（例えばアルミニウム基材料）とは、軽金属（例えばアルミニウム）を主成分とする材料または軽金属（例えばアルミニウム）からなる材料である。
【００２７】
この実施形態では、１対の排気ロッカアーム76のロッカアーム本体82は鉄基材料から形成される一方、残りのロッカアームである排気ロッカアーム75のロッカアーム本体81およびすべての吸気ロッカアーム74のロッカアーム本体80が、アルミニウム基材料からダイカストにより成形される。そして、動弁装置70において、一部の前記残りのロッカアームのロッカアーム本体80，81が、ポンプ用ロッカアームである排気ロッカアーム76ａのロッカアーム本体82を形成する鉄基材料よりも比重が小さいアルミニウム基材料から形成されることにより、排気ロッカアーム76ａを以外のすべての前記残りのロッカアームの合計の重量が、すべての前記残りのロッカアームのロッカアーム本体80，81，82が鉄基材料から形成される場合に比べて小さくなる。
【００２８】
また、内燃機関２に備えられて燃料噴射弁64に燃料を供給する燃料供給装置は、動弁室60を形成する部材であるヘッドカバー36に取り付けられる燃料ポンプ90を備える。燃料ポンプ90は、排気ロッカアーム76ａの揺動を燃料ポンプ90の駆動ロッド98に伝達する伝達部材としての作動アーム110 を介して、排気ロッカアーム76ａにより駆動される。
【００２９】
容積型ポンプである燃料ポンプ90は、吸入室92、吐出室93およびポンプ室94を形成すると共にヘッドカバー36に固定されるハウジング91と、ハウジング91と共にポンプ室94を形成する可動室壁部材としてのダイヤフラム95と、吸入室92からポンプ室94への燃料の吸入および遮断を行う一方弁からなる吸入弁96と、ポンプ室94から吐出室93への燃料の吐出および遮断を行う一方弁からなる吐出弁97と、ポンプ室94の容積を変更するダイヤフラム95に結合される駆動部としての駆動ロッド98とを備える。
【００３０】
吸入室92は、配管を介して船体Ｓに配置される燃料タンクに連通し、吐出室93は、配管を介して電動式の高圧ポンプ（図示されず）の吸入側に連通し、前記高圧ポンプから吐出された高圧の燃料が配管を介して各燃料噴射弁64に供給される。それゆえ、燃料ポンプ90は、前記高圧ポンプに対して低圧ポンプとして機能する。
【００３１】
排気ロッカアーム76ａにより駆動されて往復動する駆動ロッド98は、ダイヤフラム95に結合される第１ロッド98ａと、作動アーム110 に当接する第２ロッド98ｂと、第１，第２ロッド98ａ，98ｂを往復動方向に相対移動可能に結合するピン98ｃとから構成される。ピン98ｃは、第１ロッド98ａに固定されると共に、第２ロッド98ｂの孔98ｄに往復動方向に移動可能に挿入される。第１ロッド98ａは、第１バネ99により、第２ロッド98ｂと一体にポンプ室94の容積が減少する方向に移動するように付勢され、第２ロッド98ｂは、第２バネ100 により、作動アーム110 に当接するように、かつ第１ロッド98ａと一体にポンプ室94の容積が増加する方向に移動するように付勢される。
【００３２】
板状の部材で形成される作動アーム110 は、排気ロッカアーム76ａの揺動方向で、排気ロッカアーム76ａと第２ロッド98ｂとの間に配置されて排気ロッカアーム76ａおよび第２ロッド98ｂに当接する当接部110aと、排気ロッカ軸73に揺動可能に支持される支点部110bとを有する。カム軸71の軸方向で１対の排気ロッカアーム76の間に配置される支点部110bは、それら排気ロッカアーム76が軸方向での所定位置を占めるように軸方向に付勢する位置決めバネ77の端部に当接し、排気ロッカアーム76ａの支点部82ａに軸方向で当接するように付勢されて、軸方向で所定の位置を占める。
【００３３】
そして、カム軸71が回転すると、排気ロッカアーム76ａは、排気弁45を駆動して開閉すると共に、排気ロッカアーム76ａに押圧されて揺動する作動アーム110 を介して、駆動ロッド98を駆動して往復動させる。駆動ロッド98の往復動によりダイヤフラム95がポンプ室94の容積を増減するように撓んで、容積増加時に、前記燃料タンクから配管を流通して吸入弁96を通って流入した燃料をポンプ室94に吸入し、容積減少時に、ポンプ室94から吐出弁97を通って吐出された燃料を配管を介して前記高圧ポンプに圧送する。
【００３４】
次に、前述のように構成された第１実施形態の作用および効果について説明する。
燃料ポンプ90を駆動するロッカアーム76ａを備える動弁装置70において、ポンプ用ロッカアームを構成する排気ロッカアーム76ａ以外の前記残りのロッカアームのうち、排気ロッカアーム76ｂを除くすべての前記残りのロッカアーム74，75のロッカアーム本体80，81が、排気ロッカアーム76ａのロッカアーム本体82を形成する鉄基材料よりも比重が小さいアルミニウム基材料から形成されることにより、すべての前記残りのロッカアームの合計の重量が、すべての前記残りのロッカアームのロッカアーム本体80〜82が鉄基材料から形成される場合に比べて小さくなる。これにより、一部の前記残りのロッカアームのロッカアーム本体80，81は、吸気弁44または排気弁45を駆動するための所要の強度および剛性が確保されるようにアルミニウム基材料から形成されたうえで、すべての前記残りのロッカアーム74，75，76ｂの合計の重量が、すべての前記残りのロッカアーム74，75，76ｂのロッカアーム本体80〜82が鉄基材料から形成される場合の合計の重量に比べて小さくなるので、動弁装置70のロッカアーム74〜76が、全体として軽量化されるので、動弁装置70のロッカアームにより駆動される燃料ポンプ90を備える内燃機関２の軽量化が可能になる。また、ポンプ用ロッカアームである排気ロッカアーム76ｂは、排気弁45に加えて燃料ポンプ90を駆動するための所要の強度および剛性が得られるように鉄基材料から形成される。
【００３５】
次に、図６を参照して、本発明の第２実施形態を説明する。この第２実施形態は、請求項１，２記載の発明に対応するものであり、第１実施形態とは左動弁装置70ｂの排気ロッカアームの一部のみが相違し、その他は基本的に同一の構成を有するものである。そのため、同一の部分についての説明は省略または簡略にし、異なる点を中心に説明する。なお、第１実施形態の部材と同一の部材または対応する部材については、必要に応じて同一の符号を使用した。
【００３６】
左動弁装置70ｂにおいて、特定シリンダ38ａ（図５参照）以外のシリンダ38の排気ロッカアーム76は、特定シリンダ38ａの、ポンプ用ロッカアームである排気ロッカアーム76ａと同一に形成される。それゆえ、右動弁装置70ａを含めて、動弁装置70のすべての排気ロッカアーム76のロッカアーム本体82は鉄基材料から形成され、またすべての吸気ロッカアーム74は、第１実施形態と同一である。
【００３７】
この第２実施形態によれば、軽量化の程度が小さくなるものの、第１実施形態と同様の作用および効果が奏されるほか、次の作用および効果が奏される。
すなわち、動弁装置70において、２以上のすべての排気ロッカアーム76が、ポンプ用ロッカアームが鉄基材料から形成されるロッカアーム本体82を有する排気ロッカアーム76ａと同一に形成される一方で、すべての吸気ロッカアーム74のロッカアーム本体80がアルミニウム基材料から形成されることにより、動弁装置70のロッカアーム74，76が、ロッカアーム本体82が鉄基材料から形成されるロッカアーム76およびロッカアーム本体80がアルミニウム基材料から形成されるロッカアーム74の２種類となるので、複数の吸気ロッカアーム74または複数の排気ロッカアーム76を備える動弁装置70において、同一のロッカアームが多く使用されることになる。この結果、動弁装置70のロッカアームのうち、同一のロッカアームの数が増加するので、コストが削減される。
【００３８】
以下、前述した実施形態の一部の構成を変更した実施形態について、変更した構成に関して説明する。
第１実施形態に関して、ポンプ用ロッカアームである排気ロッカアーム76ａ以外のすべてのロッカアーム74，75，76ｂがアルミニウム基材料により形成されてもよい。これにより、動弁装置70のロッカアーム全体の一層の軽量化が達成される。また、特定シリンダ以外のシリンダに対応する１または複数の排気ロッカアームのロッカアーム本体が鉄基材料から形成されてもよい。
【００３９】
第１実施形態に関して、ポンプ用ロッカアームは、排気ロッカアーム76ａの代わりに、鉄基材料から形成されるロッカアーム本体を有する吸気ロッカアームであってもよい。この場合、動弁装置において、ポンプ用ロッカアームを構成する吸気ロッカアーム以外の吸気ロッカアームまたは排気ロッカアームからなるすべての残りのロッカアームのうち、すべてまたは一部の該残りのロッカアームのロッカアーム本体は、第１材料よりも比重が小さいアルミニウム基材料から形成される。これによっても、第１実施形態と同様の作用および効果が奏される。
【００４０】
第２実施形態に関して、ポンプ用ロッカアームが吸気ロッカアームであるとき、２以上のすべての吸気ロッカアームがポンプ用ロッカアームと同一に形成される一方ですべての排気ロッカアームのロッカアーム本体がアルミニウム基から形成されてもよく、この場合にも第２実施形態と同様の作用および効果が奏される。
【００４１】
複数の燃料ポンプが設けられる場合には、それぞれ別個のロッカアームから構成されるポンプ用ロッカアームにより駆動されてもよい。
第２材料は、同一の材料であったが、異なる種類の軽金属基材料でもよい。
内燃機関は、６気筒以外のＶ型機関でもよく、さらにＶ型以外の多気筒機関または単気筒機関でもよい。さらに、１つのシリンダ当たり、吸気ロッカアームおよび排気ロッカアームは、それぞれ、単数または複数でもよい。内燃機関は、ＤＯＨＣ型のものであってもよく、さらに船外機以外の機械、例えば車両に備えられてもよい。
【図面の簡単な説明】
【００４２】
【図１】本発明の第１実施形態を示し、本発明が適用された内燃機関を備える船外機全体の概略右側面図である。
【図２】図１の要部縦断面図であり、図３において、機関本体については概ねＩＩａ−ＩＩａ線での要部断面図であり、エンジンカバーおよび吸気装置については概ねＩＩｂ−ＩＩｂ線での要部断面図である。
【図３】図２のＩＩＩ−ＩＩＩ線での要部平面図である。
【図４】図１の船外機の内燃機関において、左バンクのヘッドカバーを外したときの図３のＩＶ−ＩＶ矢視でのシリンダヘッドの図である。
【図５】シリンダヘッド、吸気弁および排気弁については、概ね図４のＶａ−Ｖａ線での断面図であり、ロッカアームについては、概ね図４のＶｂ−Ｖｂ矢視図であり、燃料ポンプについては、作動アーム上でのＶａ−Ｖａ線と平行な断面での断面図である。
【図６】本発明の第２実施形態を示し、図４に相当する図である。
【符号の説明】
【００４３】
１…船外機、２…内燃機関、３…機関本体、４…マウントケース、５…エクステンションケース、６…アンダカバー、７…エンジンカバー、８…エンジンルーム、９…ギヤケース、10…クランク軸、11…駆動軸、12…前後進切換装置、13…プロペラ軸、14…プロペラ、15…スイベル軸、16…スイベルケース、17…チルト軸、18…ブラケット、19…マウントフレーム、20，21…マウントラバー、22…シフトロッド、23…クランク室、30…クランクケース、31…シリンダブロック、33，34…シリンダヘッド、35，36…ヘッドカバー、37，38…シリンダ、39…収納筒、40…ピストン、41…燃焼室、42…吸気ポート、43…排気ポート、44…吸気弁、45…排気弁、46…点火栓、47…コンロッド、48…交流発電機、49…弁バネ、50…巻掛け伝動機構、51，52…駆動プーリ、53，54…ガイドプーリ、55…テンショナ、56…タイミングベルト、57…被動プーリ、58…駆動ベルト、60…動弁室、61，62…カムプーリ、64…燃料噴射弁、65…吸気サイレンサ、66…スロットル弁装置、67…吸気マニホルド、68…排気マニホルド、70…動弁装置、71…カム軸、72，73…ロッカ軸、74…吸気ロッカアーム、75，76…排気ロッカアーム、77…位置決めバネ、80,81,82…ロッカアーム本体、85，87…ローラ、86，88…調整ネジ、90…燃料ポンプ、91…ハウジング、92…吸入室、93…吐出室、94…ポンプ室、95…ダイヤフラム、96…吸入弁、97…吐出弁、98…駆動ロッド、99，100 …バネ、110 …作動アーム、
Ｓ…船体、Ｂ１，Ｂ２…バンク。
【図１】
2006144717.tif 000003
【図２】
2006144717.tif 000004
【図３】
2006144717.tif 000005
【図４】
2006144717.tif 000006
【図５】
2006144717.tif 000007
【図６】
2006144717.tif 000008